(57)【要約】      （修正有）【課題】自分の排泄物を介護者に見られる事も無く袋の開閉により臭くもなく、夜の排泄も何度も使用する事が出来る、更に容器を洗う必要が無くなるポータブルトイレ内部の袋及び袋受け容器を提供する。【解決手段】上端部円周の外側へ折り代１、を設けた袋３０、とその折り代１、の間にはめこみ、引っ掛けて受け止め、開閉する為に、ポータブルトイレの中に入れる容器４０（バケツ）、の上部内側に２枚の薄い長方形の板２、を平行に並べアーム３、により固定する、アーム３、の下部片は基礎台５、と受け軸４、及びバネ８、により形成装着される仕組み更にアーム３、の上部に紐６、を取り付けその紐６、の片方を本体５０、の外側へ出し摘み１６、に結ぶ、使用前に袋３０、を２枚の長方形の板２、の間に入れ、折り代１、で止める、また摘み１６、を引くと袋３０、が開き、更に摘み１６、を放すと袋３０、が閉じる仕組みである。【選択図】図７
0003114274.tif 000002
【実用新案登録請求の範囲】
【請求項１】
ポータブルトイレの内部に置く容器４０、の中に入れる袋３０、で上部周辺外側に折り返し面１、を設けた袋３０。
【請求項２】
ポータブルトイレの中に入れる容器４０、で上部中央二箇所に上記の袋３０、を引っ掛ける為の薄い長方形の板２、を、又その板２、の中央部に開閉するためのアーム３、を取り付け、又そのアーム３、の片方下部に設置台５、とバネ８、により形成され、更にそのアーム３、の上部に紐６、を取り付けその紐６、の片方をポータブルトイレ５０、の外部に出し手動で開閉出来る仕組みである。
【請求項３】
ポータブルトイレの中に入れる容器４０、で上部中央二箇所に上記の不くる３０、を引っ掛ける為の薄い長方形の板２、を平行に並べその板２、の中央部に開閉する為のアーム３、を取り付け、又アーム３、の下部片に歯車１９、を取り付けその歯車１９、を動かすモーター１７、と接続し電動で二箇所の板を開閉する仕組みである。
【請求項４】
ポータブルトイレ５０、本体に上記と同じく上部中央二箇所に袋３０、を引っ掛ける為の薄い長方形の板２、又その板２、の中央部に開閉する為のアーム３、を取り付け尚アーム３、の片方下部に設置台１５、とバネ８、により形成される、更にそのアーム３、の上部に紐６、を取り付けその紐６、の片方外部に出し端を摘み１６、に接続したものである。
【考案の詳細な説明】
【技術分野】
【０００１】  本考案はポータブルトイレの中に入れる袋とその袋を受け、又開閉させるための容器関するものである。
【背景技術】
【０００２】  従来のポータブルトイレに於いて色々種類はあるが、いずれも外見を重視し高価なものに仕上げ使用者にとって排泄後の気まずさ、又介護者の目に付き臭いも広がり不快感といった精神的な苦痛を伴うものである。
考案の開示
【考案が解決しようとする課題】
【０００３】  上記で述べたポータブルトイレは本体とその中に入れる容器（バケツ）とになっていて使用者が排泄を終えるたびに介護者が容器（バケツ）を洗浄しなければならない。又使用するたびに見られることが使用者にとって精神的な苦痛が計り知れないものである。上記のような問題点を少しでも無くする目的で考案したものである。
【課題を解決する為の手段】
【０００４】  そこで課題を解決するための請求項１の考案は袋の上端部の円周外側に折り代を設ける、この折り代により下記に示す容器上部の２枚の薄い長方形の板により引っ掛け受け止められ、又開閉を容易にする事が出来る仕組みにする。
【０００５】  また請求項２の考案はポータブルトイレ本体の中に入れる容器で上部に薄い長方形の板、又その板の中央部にアームを定着させる、
アームの下端は基礎台と受け軸とバネの組み合わせにより設置する。そのアームの上部に紐を接続してその紐の片方をポータブルトイレ本体の外部に出し、摘みに接続、この摘みを引くことにより容器上部の板が開き請求項１の袋が開き排泄が出来る仕組み、又排泄後摘みを元に戻せば袋が閉じることになる。
【０００６】  さらに請求項３の考案は上記請求項２の容器の紐でなくアームの下部設置台５と受け軸に歯車をそれぞれ取り付けモーター軸の歯車と組み合わせることにより請求項１の袋の開閉を容易にさせるものである。すなわち電動化である。
【０００７】  また請求項４の考案はポータブルトイレ本体に上記に示す請求項１で考案の袋上部円周外側の折りしろを引っ掛け受け止め、更に開閉を容易に行うためポータブルトイレ本体の上部にうすい長方形の板を２枚平行に並べ、その板の中央部にアームを直角に定着させアームの片方を基礎台と受け軸とバネとに形成定着させ其のアームの上部に紐を取り付け其の紐の片方を本体外側に出し、摘みに接続その紐とアームの下部のバネにより袋を開閉するものである。即ち容器（バケツ）を必要としない、ポータブルトイレ本体に取り付ける事が出来る。
【考案の効果】
【０００８】  本考案により身体の不自由な人にとってポータブルトイレは必需品であり、この考案は自分の排泄物を介護者に見られる事も無く袋の開閉により臭いも無く、夜の排泄も何度も使用する事が出来る、更に容器を洗う必要がなくなる。
考案を実施するための最良の形態
【０００９】  本考案に係るポータブルトイレの袋３０は図１、図２、に示すように袋３０の上端部の円周外側へ折り代１を備えている。同図で示すように袋の上部円周に、例えば３センチメートル程度を外側へ折り曲げてなる、これは下記に示す容器４０の上部に設置した薄い長方形の板２、を平行に並べ図７のように差し込むために設けたものである。素材は水分をよく吸収する紙または不織布で外側は水分を浸透させない薄い素材、例えばビニールで形成されることが望ましい（紙おむつ）。
【００１０】  図３、図４はポータブルトイレ５０本体の中にいれる容器４０の上部内側中央にアーム３に形成された薄い２枚の長方形の板２、を上記の袋３０の上部円周の折代に引っ掛けて受けるとともに開閉を容易にできる仕組みを特徴とするものである。この薄い２枚の板２、の中央部にアーム３、を定着させアーム３、の片方は容器４０、の底の受け台５、に受け軸４、とバネ８、の組み合わせにより形成設置される。又アーム３、の上部に紐６、を取り付け、又紐６、の片方を容器４０、及び本体５０、の外側に出し摘み１６、に結ぶ。更に摘み１６、を本体５０、に摘み止めを定着させる、使用方として、例えば使用前に、図１、に示す二つ折りにした袋３０、を容器４０、の上部の２列の板２、の間に差込み袋３０、の上部円周の外側に折り曲げた部分１、の中に板２、を包み込む、すなわち容器４０、の底に落ち込まない様にすると同時に容器４０、内周部に広がる仕組みであり、この操作を本体５０、の外部に出した紐６、の端に取り付けた摘み１６、を引けばよい、使用中は本体５０、の摘み止めに引っ掛ければよい、又使用後はその摘み１６、を外せばアーム３、の下部片に組み合わせたバネ８、により元に戻る仕組みで袋３０、の口が閉じる、その後袋３０、を  抜き取ればよい、こうする事により使用者の排泄後介護者に見られる気まずさ、介護者の目に付く事、更に臭いによる不快感と、言った精神的苦痛を和らげるものである。長方形の板２、の素材は元に戻さす力の強い、例えば鋼板もしくはプラスチックスが望ましい、又中心部は少し厚く端になるほど薄くするのがよい。
【００１１】  更に図１２、図１３、に於いて上記に示したように仕組みは同じで、違いはアーム３、の下部の片方は容器４０、の底の設置台５、と受け軸４、に定着しその受け軸４、の一方に歯車を取り付ける、又モータの軸にも歯車を取り付けこのモーターにより上記の袋３０、の口開閉を行う仕組、即ち電気で動く方法で以下取り扱いは上記と同じである、例えば袋３０、の開閉をスイッチで行う。
【００１２】  尚、図１６、図１７、に於いてポータブルトイレ本体５０、の上部内側にアーム３、に形成された薄い２枚の長方形の板２、を上記に示す袋３０、の上部円周の折代１、に引っ掛けて受ける、又開閉を容易に出来る仕組みは図３、図４、と同じでありこの薄い２枚の板の中央部にアーム３、を定着させアーム３、の片方は本体内部底面に基礎台１５、に受け軸４、とバネ８、の組み合わせにより形成設置する、又アーム３、の上部に紐６、を取り付ける、更に紐６、の片方を本体５０、の外側に出し摘み１６、を結ぶ尚、摘み１６を本体５０、の外側に摘み止めを取り付けた、本体５０、その物に袋３０、を受け開閉を容易にする仕組みを特徴とするものである、使用法としては上記図３、図４、に示したものと同じである。
【図面の簡単な説明】
【００１３】
【図１】  本考案に係わるポータブルトイレの中に入れ排泄物を受ける為の袋の二つ折りにした側面図である。
【図２】  袋を開いたところの斜視図である。
【図３】  ポータブルトイレ本体の中に入れる容器（バケツ）でその上部に長方形の２枚の板を閉じたところの平面図である。
【図４】  容器の断面図である。
【図５】  容器でその上部に長方形の２枚の板を開いたところの平面図である。
【図６】  容器でその上部長方形の２枚の板を開いたところの断面図である。
【図７】  ポータブルトイレ本体の中に入れた容器上部に２枚の長方形の板の間に袋を入れようとしているところうの断面図である。
【図８】  容器で長方形二枚の板の間へ二つ折りにした袋を入れたとこるの平面図である。
【図９】  二枚の板の間に二つ折りにした袋を入れたとこるの断面図である。
【図１０】  ２枚の板の間に袋を入れ開いたとこるの平面図である。
【図１１】  二枚の板の間に入れた袋を開いたとこるの断面図である。
【図１２】  容器上部に２枚の長方形の板を閉じているところ、電気で動かす為のモーター及び歯車の組み合わせを示す為の平面図である。
【図１３】  容器内で板を閉じているところのモーター及び歯車の組み合わせを示す為の断面図である。
【図１４】  容器内で板を開いているところのモーター及び歯車の組み合わせを示す為の平面図である。
【図１５】  容器内で２枚の長方形の板を開いているところのモーター及び歯車の組み合わせを示す為の断面図である。
【図１６】  ポータブルトイレ本体に薄い長方形の板２枚を平行に並べアーム及び基礎台と受け軸、更にバネにより形成されたところの断面図である。
【図１７】  ポータブルトイレ本体の平面図である。
【符号の説明】
【００１４】  １、      袋の上部の折り代
２、      薄い長方形の板
３、      アーム
４、      アームの受け軸
５、      基礎台
６、      紐
７、      角度調整針
８、      バネ
９、      容器の高さ調整台
１０、      調整台を止めるネジ
１１、      紐の通す穴
１２、      ポータブルトイレ本体の蓋
１３、      便座
１４、      便座台
１５、      基礎台
１６、      摘み
１７、      モーター
１８、      電線
１９、      歯車
２０、      電流切り替えスイッチレバー
２１、      基礎台と軸受けとの接続金具
【図１】
0003114274.tif 000003
【図２】
0003114274.tif 000004
【図３】
0003114274.tif 000005
【図４】
0003114274.tif 000006
【図５】
0003114274.tif 000007
【図６】
0003114274.tif 000008
【図７】
0003114274.tif 000009
【図８】
0003114274.tif 000010
【図９】
0003114274.tif 000011
【図１０】
0003114274.tif 000012
【図１１】
0003114274.tif 000013
【図１２】
0003114274.tif 000014
【図１３】
0003114274.tif 000015
【図１４】
0003114274.tif 000016
【図１５】
0003114274.tif 000017
【図１６】
0003114274.tif 000018
【図１７】
0003114274.tif 000019
【手続補正書】
【提出日】平成17年6月6日(2005.6.6)
【手続補正１】
【補正対象書類名】実用新案登録請求の範囲
【補正対象項目名】全文
【補正方法】変更
【補正の内容】
【実用新案登録請求の範囲】
【請求項１】
ポータブルトイレの内部に置く容器４０、の中に入れる袋３０、で上部周辺外側に折り返し面１、を設けた袋３０。
【請求項２】
ポータブルトイレの中に入れる容器４０、で上部中央二箇所に請求項１の袋３０、を引っ掛ける為の薄い長方形の板２、を、又その板２、の中央部に開閉するためのアーム３、を取り付け、又そのアーム３、の片方下部に設置台５、とバネ８、により形成され、そのアーム３、の上部に紐６、を取り付けその紐６、の片方をポータブルトイレ５０、の外部に出し摘み１６と接続、その摘み１６を引っ張ると請求項１の袋３０が開き摘みを放すと閉じる仕組みにしたポータプルトイレである。
【請求項３】
ポータブルトイレの中に入れる容器４０、で上部中央二箇所に請求項１の袋３０、を引っ掛ける為の薄い長方形の板２、を平行に並べその板２、の中央部に開閉する為のアーム３、を取り付け、又アーム３、の下部片に歯車１９、を取り付けその歯車１９、を動かすモーター１７、と接続し電動で二箇所の板２に引っ掛けた請求項１の袋３０の開閉を容易に出来る仕組みのポータプルトイレである。
【請求項４】
ポータブルトイレ５０、本体の上部中央二箇所に請求項１の袋３０、を引っ掛ける為の薄い長方形の板２、又その板２、の中央部に開閉する為のアーム３、を取り付け尚アーム３、の片方下部に設置台１５、とバネ８を定着させ、そのアーム３、の上部に紐６、を取り付けその紐６の片方を外部に出し、その端を摘み１６に結ぶ、摘み１６を引くと長方形の板２に引っ掛けられた請求項１の袋３０が開き又、摘みを放すと閉じる仕組みのポータプルトイレである。